(57)【特許請求の範囲】
【請求項１】
コンクリート造の少なくとも２層のスラブ（以下、“コンクリート造スラブ”とする）と、該少なくとも２層のコンクリート造スラブを略平行となるように配置する部材（以下、“コンクリート造スラブ配置部材”とする）と、からなるコンクリート造ユニットを備えた多層建築物において、
木造の少なくとも１層の床スラブ（以下、“木造床スラブ”とする）と、前記コンクリート造ユニットにおける一のコンクリート造スラブと他のコンクリート造スラブとの間に該コンクリート造スラブと略平行となるように前記木造床スラブを配置する部材（以下、“床スラブ配置部材”とする）と、からなる木造ユニット、
を備えたことを特徴とする多層建築物。
【請求項２】
前記木造床スラブは、材木、又は材木を鋼材や繊維材や樹脂材により補強してなる木質ハイブリッド部材により構成された、
ことを特徴とする請求項１に記載の多層建築物。
【請求項３】
前記木造床スラブは、少なくとも一部が木製であって、該一部を取り除くことにより下階と上階とが連通するように構成された、
ことを特徴とする請求項１又は２に記載の多層建築物。
【請求項４】
前記コンクリート造ユニットが複数積み重ねられてなる、
ことを特徴とする請求項１乃至３のいずれか１項に記載の多層建築物。
【発明の詳細な説明】
【技術分野】
【０００１】
本発明は、鉄筋コンクリート造又は鉄骨鉄筋コンクリート造のスラブ及び柱からなるコンクリート造ユニットの間に、木造のスラブ及び柱からなる木造ユニットを配置した多層建築物に関する。
【背景技術】
【０００２】
従来、多層建築物（複数層建築物）としては、鉄筋コンクリート造又は鉄骨鉄筋コンクリート造のものが一般的である。
【０００３】
しかしながら、近年は、木造による多層建築物が注目を浴びつつあり、種々の構造のものが提案されている（例えば、特許文献１及び２参照）。
【０００４】
注目を浴びる理由としては様々な理由があるが、一つには、国内の木材が有効利用されていないことや、鉄筋コンクリート造等の建築に比べてＣＯ２の排出量が少なくなること等を挙げることができる。
【先行技術文献】
【特許文献】
【０００５】
【特許文献１】特開２０１２−１９３５４６号公報
【特許文献２】特開２０１４−５８８１３号公報
【発明の概要】
【発明が解決しようとする課題】
【０００６】
しかしながら、木造で多層建築物を構築する場合には使用する部材（木造の柱やスラブ等）の強度を十分に確保する必要があった。
【０００７】
本発明は、上述の問題を解消することのできる多層建築物を提供することを目的とするものである。
【課題を解決するための手段】
【０００８】
請求項１に係る発明は、図１乃至図３に例示するものであって、コンクリート造の少なくとも２層のスラブ（符号Ａ１，Ａ２参照。以下、“コンクリート造スラブ”とする）と、該少なくとも２層のコンクリート造スラブ（Ａ１，Ａ２）を略平行となるように配置する部材（符号Ａ３参照。以下、“コンクリート造スラブ配置部材”とする）と、からなるコンクリート造ユニット（Ａ）を備えた多層建築物（１）において、
木造の少なくとも１層の床スラブ（符号Ｂ１参照。以下、“木造床スラブ”とする）と、前記コンクリート造ユニット（Ａ）における一のコンクリート造スラブ（Ａ１）と他のコンクリート造スラブ（Ａ２）との間に該コンクリート造スラブ（Ａ１，Ａ２）と略平行となるように前記木造床スラブ（Ｂ１）を配置する部材（符号Ｂ２参照。以下、“床スラブ配置部材”とする）とからなる木造ユニット（Ｂ）、を備えたことを特徴とする。
【０００９】
請求項２に係る発明は、請求項１に係る発明において、前記木造床スラブ（Ｂ１）が、材木、又は材木を鋼材や繊維材や樹脂材により補強してなる木質ハイブリッド部材により構成されたことを特徴とする。
【００１０】
請求項３に係る発明は、請求項１又は２に係る発明において、前記木造床スラブ（Ｂ１）が、少なくとも一部が木製であって、該一部を取り除くことにより下階と上階とが連通するように構成されたことを特徴とする。
【００１１】
請求項４に係る発明は、請求項１乃至３のいずれか１項に記載の発明において、前記コンクリート造ユニット（Ａ）が複数積み重ねられてなることを特徴とする。
【００１２】
なお、括弧内の番号などは、図面における対応する要素を示す便宜的なものであり、従って、本記述は図面上の記載に限定拘束されるものではない。
【発明の効果】
【００１３】
請求項１乃至４に係る発明によれば、前記木造ユニットを収容するように前記コンクリート造ユニットが配置されているので、建築物全体の耐震性は該コンクリート造ユニットに担わせることができる。したがって、各木造床スラブや各床スラブ配置部材に要求される強度は、前記コンクリート造ユニットを使用しない場合に比べて低くできる。また、鉄筋コンクリート造等のものに比べて加工が容易な木造床スラブを使用しているため、天井高を高くしたりするような様々なリフォームを比較的容易に行うことができる。
【図面の簡単な説明】
【００１４】
【図１】図１は、本発明に係る多層建築物の構造の一例を示す正面図である。
【図２】図２は、図１に示す多層建築物の外観を示す斜視図である。
【図３】図３は、本発明に係る多層建築物の内部構造の一例を示す斜視図である。
【図４】図４（ａ）は、本発明に係る多層建築物の２階の構造の一例を示す平面図であり、同図（ｂ）は、１階の構造の一例を示す平面図である。
【発明を実施するための形態】
【００１５】
以下、図１乃至図４に沿って、本発明の実施の形態について説明する。
【００１６】
本発明に係る多層建築物は、図１及び図２に符号１で例示するものであって、
・  コンクリート造の少なくとも２層のスラブ（以下、“コンクリート造スラブ”とする）Ａ１，Ａ２と、該少なくとも２層のコンクリート造スラブＡ１，Ａ２を略平行となるように配置する部材（以下、“コンクリート造スラブ配置部材”とする）Ａ３と、からなるコンクリート造ユニットＡと、
・  木造の少なくとも１層の床スラブ（以下、“木造床スラブ”とする）Ｂ１と、前記コンクリート造ユニットＡにおける一のコンクリート造スラブＡ１と他のコンクリート造スラブＡ２との間に該コンクリート造スラブＡ１，Ａ２と略平行となるように前記木造床スラブＢ１を配置する部材（以下、“床スラブ配置部材”とする）Ｂ２と、からなる木造ユニットＢと、
を備えている（該木造ユニットＢは前記コンクリート造ユニットＡにおける一のコンクリート造スラブＡ１と他のコンクリート造スラブＡ２との間に配置されるように構成されている）。つまり、本発明に係る建築物１は、少なくとも１層のコンクリート造スラブＡ１と少なくとも１層の木造床スラブＢ１とを有することとなり、それらのスラブＡ１，Ｂ１によって多層の建築物を構成することとなる。
【００１７】
ここで、前記コンクリート造スラブＡ１，Ａ２としては、
・  土間コンクリートのようにコンクリートのみで構成されたもの（鉄筋や鉄骨やデッキプレートなどを有さないもの）や、
・  鉄筋コンクリート造のものや、
・  鉄骨鉄筋コンクリート造のものや、
・  鉄骨コンクリート造のものや、
・  デッキプレート（Ｓデッキプレート）と鉄筋とをコンクリートに埋設したもの
などを挙げることができる。また、前記コンクリート造ユニットにおける“少なくとも２層のスラブ”の組み合わせとしては、具体的には、
・  土間スラブと床スラブ
・  土間スラブと天井スラブ
・  床スラブと床スラブ
・  床スラブと天井スラブ
の組み合わせを挙げることができる。
【００１８】
さらに、前記コンクリート造スラブ配置部材としては、
・  鉄骨及び／又は鉄筋を含むコンクリート造の柱や壁、又は、
・  組石造壁
などを挙げることができる。
【００１９】
なお、図１及び図２に示す例では、前記コンクリート造ユニットＡは複数積み重ねられているが、１層だけ配置したものを本発明の範囲から排除するものではない。また、図１及び図２に示す例では、前記コンクリート造ユニットＡは２層積み重ねられているが、もちろんこれに限られるものではなく、３層以上積み重ねるようにしても良い。さらに、前記コンクリート造ユニットＡを複数層積み重ねる場合は、下側に配置されるコンクリート造ユニットＡの上側のスラブと、上側に配置されるコンクリート造ユニットＡの下側のスラブとを同一のスラブとしても良い。またさらに、図１及び図２に示す木造ユニットＢにおける木造床スラブＢ１は１層だけであるが、もちろんこれに限られるものではなく、２層以上設けるようにしても良い。
【００２０】
一方、図１中の符号２は人工地盤を示し、符号３は免震装置を示している。
【００２１】
本発明によれば、前記木造ユニットＢを収容するように前記コンクリート造ユニットＡが配置されているので、建築物全体の耐震性は該コンクリート造ユニットＡに担わせることができる。したがって、各木造床スラブＢ１や各床スラブ配置部材Ｂ２に要求される強度は、前記コンクリート造ユニットＡを使用しない場合に比べて低くできる。
【００２２】
また、本発明に係る多層建築物１は前記木造床スラブＢ１を有しているが、該木造床スラブＢ１は、鉄筋コンクリート造や鉄骨鉄筋コンクリート造のスラブよりも加工が比較的容易であるため、前記木造床スラブＢ１を加工することによって該多層建築物１のリフォームを容易に行うことができる。例えば、前記木造床スラブＢ１の一部に開口部を形成して吹抜け（図４（ａ）の符号Ｃ１，Ｃ２，Ｃ３参照）を形成することも比較的容易となる。また、該木造床スラブＢ１を取り外せば天井高が高くて広い空間を得ることができるので、高い天井高が必要な映画館やコンサートホールなどもリフォームにより構築することができる。
【００２３】
ところで、上述した木造床スラブＢ１は、
・  材木のみにより構成しても、或いは、
・  材木を鋼材や繊維材や樹脂材により補強してなる木質ハイブリッド部材により構成しても、
どちらでも良い。なお、前記木造床スラブＢ１は、少なくとも一部が木製であって（つまり、上述の鋼材や繊維材や樹脂材が配置されておらずに材木のみで構成された部分を有し）、該一部を取り除くことにより下階と上階とが連通するように構成しておくと良い。そのようにした場合には、上述のような吹抜けを容易に構築することができる。
【００２４】
また、前記床スラブ配置部材としては、
（１）  前記木造床スラブＢ１に立設されるように配置される柱状又は脚状の部材や、
（２）  該木造床スラブＢ１を上側のコンクリート造スラブＡ１から吊り下げるための部材や、
（３）  該木造床スラブＢ１を前記コンクリート造スラブ配置部材Ａ３に取り付けるための何らかの部材（例えば、アンカーボルトなどの取付金具）
などを挙げることができる。上記（１）の部材は、
・  材木のみにより構成しても、
・  材木を鋼材や繊維材や樹脂材により補強してなる木質ハイブリッド部材により構成しても、
・  金属により構成しても、
どちらでも良い。また、上記（２）や（３）の部材は金属等で構成すると良い。
【００２５】
ところで、図２には、コンクリート造スラブＡ１，Ａ２とコンクリート造スラブ配置部材Ａ３とが開示されているだけであってコンクリート造の壁は開示されていないが、もちろんこれに限られるものではなく、コンクリート造の壁（耐震壁）を設けるようにしても良い。
【００２６】
なお、前記コンクリート造ユニットＡを複数層積み上げる場合には、下層のコンクリート造ユニットＡには強度の高いコンクリートを使用し、上層のコンクリート造ユニットＡには低強度のコンクリートを使用すると良い。
【００２７】
なお、緊急避難用の階段等は鉄筋コンクリート造又は鉄骨鉄筋コンクリート造の構造物の中に配置すると良い。
【００２８】
なお、本発明に係る多層建築物は、集合住宅やオフィスビルや商業施設として利用することができる。
【符号の説明】
【００２９】
１                    多層建築物
Ａ                    コンクリート造ユニット
Ａ１，Ａ２            コンクリート造スラブ
Ａ３                  コンクリート造スラブ配置部材
Ｂ                    木造ユニット
Ｂ１                  木造床スラブ
Ｂ２                  床スラブ配置部材
【図１】
0006379049.tif 000002
【図２】
0006379049.tif 000003
【図３】
0006379049.tif 000004
【図４】
0006379049.tif 000005